(57)【要約】【課題】畳み難いニットのような布地を使用しても全体を簡単に収納して、同じ形に簡単かつきれいに揃えて整え得るポケット部を有する衣服を提供する。【解決手段】右前身頃１３と左前身頃１１とを前側で合わせて着る衣服１００に、右前身頃１３と左前身頃１１のいずれか一方の前身頃の内側に、第一のポケット部材２３と第二のポケット部材２５とを部分的に重ね合わせポケット入口部を形成すると共に、該第一のポケット部材および第二のポケット部材の外周縁で衣服に縫いつけて形成したポケット部２１を設けた。【選択図】図１
2011052346.tif 000002
【特許請求の範囲】
【請求項１】
衣服であって、
第一のポケット部材と第二のポケット部材とを部分的に重ね合わせポケット入口部を形成すると共に、該第一のポケット部材および第二のポケット部材の外周縁で衣服に縫いつけて形成したポケット部を設けたことを特徴とする衣服。
【請求項２】
前記ポケット部は、ポケット内部に当該衣服全体を収容し得る大きさで、かつ当該ポケット部全体の外周縁がほぼ矩形に形成されることを特徴とする請求項１記載の衣服。
【請求項３】
前記ポケット部のポケット入口部を形成する前記第一のポケット部材と第二のポケット部材の各辺は、、相互に内側に凹の弧状であることを特徴とする請求項１または２記載の衣服。
【請求項４】
前記衣服と第一および第二のポケット部材は、ニットで形成されることを特徴とする請求項１乃至３のいずれかに記載の衣服。
【請求項５】
前記第一および第二のポケット部材は、ネットで形成されることを特徴とする請求項１乃至４のいずれかに記載の衣服。
【請求項６】
第一および第二のポケット部材のポケット入口部の縁は、テープ状の細長い布地を被せて縫製したパイピング仕上げが施されていることを特徴とする請求項１乃至５のいずれかに記載の衣服。
【請求項７】
前記第一および第二のポケット部材のポケット入口部の縁には、タグが縫いつけられていることを特徴とする請求項１乃至６のいずれかに記載の衣服。
【請求項８】
前記パイピング仕上げのテープ状の細長い布地またはタグは色で衣服の大きさが区別されててることを特徴とする請求項６または７記載の衣服。
【請求項９】
ほぼ矩形に形成される前記ポケット部の外周縁の各角部が円弧状に丸く形成されていることを特徴とする請求項２記載の衣服。
【発明の詳細な説明】
【技術分野】
【０００１】
本発明は、各種施設で貸与される衣服に関し、更に詳しくは、衣服の裏側にほぼ矩形に形成された第一および第二のポケット部材を重ねて構成されるポケット部を有し、このポケット部内に衣服全体を収納可能として、例えば医療機関、介護施設、宿泊施設などのリネンサプライで使用し易くした衣服に関する。
【背景技術】
【０００２】
例えば医療機関、リハビリテーション（rehabilitation）施設、介護施設、宿泊施設などでは、利用者にガウン、上下式の甚平やパジャマなどの衣服が提供され、利用者は、これら提供された衣服を着用して、上記機関や施設を利用することが多い。また、このような機関や施設における上記衣服は、リネンサプライシステムを利用して、定期的にリネンサプライシステムの業者であるリネンサプライヤによって衣服の提供、回収、洗濯、高温滅菌処理が行われるようになっている場合が多い。
【０００３】
このように提供される衣服は、頻繁に繰り返される過酷な洗濯や使用状況によって面ファスナ、ボタン、ジッパ、ホックなどの汚損あるいは破損する可能性のある副資材は使用しないようにしている場合が多い。例えば、面ファスナは使用により、糸くずや埃などが付着してファスナ面に付着して機能、見栄えが損なわれやすく、またボタン、ホックは破損したり外れてしまいやすく、さらにジッパは壊れやすいという指摘もある。
【０００４】
また、上記衣服の布地としては、例えばニットがしわになりにくく、伸び縮みして着やすく、使いやすいものとして、好まれており、特に介護施設のリハビリなどには好ましいものであるが、リネンサプライヤにとっては、ニットは畳みずらいものとして従来から敬遠されている。
【０００５】
ところで、リネンサプライヤは、上述した衣服をアイロンなどできれいに整え、折り畳むなどして、ほぼ同じ形に揃えて、納入先に提供することがリネンサプライヤおよび納入先の両者における保管、管理上、極めて重要である。しかしながら、上述したニットは、伸び縮みするため、アイロンがかけにくく、きれいに折り畳み、ほぼ同じ形に揃えて提供することが困難である。
【０００６】
従って、しわになりにくく、伸び縮みして着やすく、使いやすいニットを使用しても、ほぼ同じ形に簡単に揃えて提供し得る方法が要望されている。
【０００７】
このような方法に利用し得るものの一つとして、例えば特許文献1、２に示すように、衣料本体やポンチョなどの衣服を収納し得る収納ポケットや収容具を衣服に直接縫着などして備え付け、この収納ポケットや収容具の中に衣服を収納するものが開示されている。
【先行技術文献】
【特許文献】
【０００８】
【特許文献１】実用新案登録第３１３００６５号公報
【特許文献２】実用新案登録第３００２２１２号公報
【特許文献３】特開２００５−６８５６２号公報
【発明の概要】
【発明が解決しようとする課題】
【０００９】
上述したように、特許文献１、２に開示されている収納ポケットや収容具は、それぞれ衣類本体やポンチョなどの衣服を収納することができるが、これらの収納ポケットや収容具は、衣服の外側に露出して取り付けられているため、見栄えを必要とする衣服には不適当である。
【００１０】
特に、特許文献２のポンチョに取り付けた収納具２は、複数の蓋部３、４がぶら下がっていたり、上部のみがポンチョに縫着されているのみで、収納具２は、ポンチョにぶら下がっているものであるため、見栄えが悪いだけでなく、上記機関や施設などにおいて利用者が例えば検査やリハビリなどに着用する場合も好ましいものではない。
【００１１】
また、特許文献１の収納ポケットは、２つのブランドネームタグ１、２を利用して構成されているが、この２つのブランドネームタグ１、２は、ポケット収納入り口３において僅かに重なっているだけで、重なり部が少ないため、収納ポケット内に衣類本体４を収納した場合、重なり部の少ないポケット収納入り口３が開いて、内部に収納した衣類本体４が見えたり、ポケット収納入り口３からはみ出てしまう恐れがあるとともに、上述したリネンサプライシステムにおいて必要であるように常に同じ形に揃えて提供することが困難であるという問題がある。
【００１２】
本発明は、上記に鑑みてなされたもので、その目的とするところは、しわになりにくく、伸び縮みして着やすいニットのような布地を使用しても全体を簡単に収納して、同じ形に簡単かつきれいに揃えて整え得るポケット部を有する衣服を提供することにある。
【課題を解決するための手段】
【００１３】
上記課題を達成するため、請求項１記載の衣服は、衣服に、第一のポケット部材と第二のポケット部材とを部分的に重ね合わせポケット入口部を形成すると共に、該第一のポケット部材および第二のポケット部材の外周縁で衣服に縫いつけて形成したポケット部を設けたことを要旨とする。
【００１４】
すなわち、衣服、例えば洗濯が可能な素材で作製された衣服であって、衣服の前部が右前身頃と左前身頃の二つに分かれ、この左右前身頃を合わせて着る衣服であって、左右前身頃のいずれか一方の前身頃の裏側に部分的に互いに重ねられてほぼ矩形に形成され、この部分的に重なった両者の中に衣服全体を収納し得る第一および第二のポケット部材を有し、この第一および第二のポケット部材を構成する矩形は、上下方向で対向する第一および第二の辺と左右方向で対向する第三および第四の辺を有し、第一のポケット部材は、ほぼ矩形の布地の、第一および第二の辺のうちの一方の辺の途中と第三および第四の辺のうちの一方の辺の途中とを結ぶ線に沿って斜めに切断され、開口部が前記一方の辺の両方が交わる部分に形成される矩形の角部を向いてポケット入口部を形成し、このポケット入口部を除く第一乃至第四の各辺を前記一方の前身頃の裏側に縫い付けて構成され、第二のポケット部材は、第一のポケット部材とほぼ同じ大きさのほぼ矩形の布地の、第一および第二の辺のうちの他方の辺の途中と第三および第四の辺のうちの他方の辺の途中とを結ぶ線に沿って斜めに切断され、開口部が前記他方の辺の両方が交わる部分に形成される矩形の角部を向いてポケット入口部を形成し、このポケット入口部を除く第一乃至第四の各辺を第一のポケット部材の真上に重なるように縫い付けて構成され、第二のポケット部材は、第一のポケット部材のポケット入口部を覆い、第一のポケット部材のポケット入口部と第二のポケット部材のポケット入口部とが互いに反対方向を向いて両者の間が重なっているようにしてある。
【００１５】
請求項１記載の衣服では、第一のポケット部材と第二のポケット部材の重ね合わせで、ポケット入口部を形成したので、副資材を用いることなく、ポケット部内部に収容した衣服が飛び出ることを防止する。
【００１６】
すなわち、一方の前身頃の裏側に部分的に互いに重ねられて形成された第一および第二のポケット部材を有し、第二のポケット部材は第一のポケット部材のポケット入口部を覆い、第一のポケット部材のポケット入口部と第二のポケット部材のポケット入口部とが互いに反対方向を向いて両者の間が重なっているため、この第一、第二のポケット部材の中に衣服全体をはみ出すことなく、簡単、迅速かつ完全に収納できるとともに、ニットのように仕上げずらい布地の衣服でも、第一のポケット部材と第二のポケット部材のポケットの中に収納することにより、くずれることなく、ほぼ同じ形に簡単かつきれいに、見栄え良く揃えて整えることができ、リネンサプライシステムに利用した場合においても相手先への提供やリネンサプライヤおよび相手先での保管、管理を極めて適確かつ効率的に行い得る。
【００１７】
請求項２記載の衣服は、前記ポケット部は、ポケット内部に当該衣服全体を収容し得る大きさで、かつ当該ポケット部全体の外周縁がほぼ矩形に形成されることを要旨とする。
【００１８】
請求項２記載の衣服では、ポケット内部に当該衣服全体を収容し得る大きさで、かつ当該ポケット部全体の外周縁がほぼ矩形に形成されることから、ニットのように仕上げずらい布地の衣服でも、くずれることなく、ほぼ同じ形に簡単かつきれいに収容することができ、かつ見栄え良く揃えて整えることができるので保管、管理を極めて適確かつ効率的に行い得る。
【００１９】
請求項３記載の衣服は、前記ポケット部のポケット入口部を形成する前記第一のポケット部材と第二のポケット部材の各辺は、、相互に内側に凹の弧状であることを要旨とする。
【００２０】
請求項３記載の衣服では、第一ポケット部材と第二のポケット部材からなるポケット入口部がポケット本体側に湾曲して部分円弧状に形成されているため、湾曲した部分円弧状の形成により両ポケットのポケット入口部を開けやすく、かつ衣服の収納を容易に行うことができる。
【００２１】
請求項４記載の衣服は、前記衣服と第一および第二のポケット部材は、ニットで形成されることを要旨とする。
【００２２】
請求項４記載の衣服では、ニットのためにしわになりにくく、伸び縮みして着やすく、使いやすい。
【００２３】
請求項５記載の衣服は、前記第一および第二のポケット部材は、ネットで形成されることを要旨とする。
【００２４】
請求項５記載の衣服では、ポケット部材がネットであることから、衣服全体をポケット部の中に収納した場合でも、中の状態を容易に確認することができる。
【００２５】
請求項６記載の衣服は、第一および第二のポケット部材のポケット入口部の縁は、テープ状の細長い布地を被せて縫製したパイピング仕上げが施されていることを要旨とする。
【００２６】
請求項６記載の衣服では、パイピング処理でポケット入口部の縁をほつれにくくし、かつポケット入口部における閉状態を補強することができる。
【００２７】
請求項７記載の衣服は、前記第一および第二のポケット部材のポケット入口部の縁には、タグが縫いつけられていることを要旨とする。
【００２８】
請求項７記載の衣服では、衣服全体をポケット部の中に収納した場合でも、ポケット部の外周縁のタグにより衣服を区別することができる。
【００２９】
請求項８記載の衣服は、前記パイピング仕上げのテープ状の細長い布地またはタグは色で衣服の大きさが区別されていることを要旨とする。
【００３０】
請求項８記載の衣服では、パイピング処理の細長い布地または、タグの色を変えることにより、衣服のサイズを表すことができ、衣服全体をポケット部の中に収納した場合でも、ポケット部の外周縁のパイピング処理の細長い布地またはタグの色を見るだけで、衣服のサイズを知ることができる。
【００３１】
請求項９記載の衣服は、ほぼ矩形に形成される前記ポケット部の外周縁の各角部が円弧状に丸く形成されていることを要旨とする。
【００３２】
請求項９記載の衣服では、各角部が円弧状に丸く形成されているため、衣服を角部までも簡単に押し込んで収納でき、角部が飛び出すことなく、見栄えを良くすることができる。
【発明の効果】
【００３３】
本発明によれば、衣服に部分的に互いに重ねられて形成された第一、第二のポケット部材を有し、第二のポケット部材は第一のポケット部材のポケット入口部を覆い、第一のポケット部材のポケット入口部と第二のポケット部材のポケット入口部とが互いに反対方向を向いて両者の間が重なっているので、この第一、第二のポケット部材の中に衣服全体をはみ出すことなく、簡単、迅速かつ完全に収納できるとともに、ニットのように仕上げずらい布地の衣服でも、第一、第二のポケット部材の中に収納することにより、くずれることなく、ほぼ同じ形に簡単かつきれいに、見栄え良く揃えて整えることができ、リネンサプライシステムに利用した場合においても相手先への提供やリネンサプライヤおよび相手先での保管、管理を極めて適確かつ効率的に行い得る。
【００３４】
また、本発明によれば、第一、第二のポケット部材のポケット入口部がポケット本体側に湾曲して部分円弧状に形成され、ポケット入口部を除く各角部が円弧状に丸く形成されているので、両ポケットのポケット入口部を開けやすく、かつ衣服の収納を容易に行うことができるとともに、角部の丸い部分までも衣服を簡単に押し込んで収納でき、角部が飛び出すことなく、見栄えを良くすることができる。
【００３５】
更に、本発明によれば、衣服およびポケットがニットで形成され、ポケット入口部の縁がテープ状の細長い布地をかぶせられてパイピング仕上げされているので、しわになりにくく、伸び縮みして着やすく、使いやすいとともに、ポケット入口部の縁はほつれにくくなるとともに、パイピング処理の細長い布地の色を変えることにより、衣服のサイズを表すことができ、衣服全体をポケット部の中に収納した場合でも、パイピング処理の細長い布地の色を見るだけで、衣服のサイズを知ることができる。更に、衣服の着用者は着用前にパイピング処理の細長い布地の色を見るだけで、自分に合ったサイズの衣服を選ぶことができるとともに、選んで着用した後はパイピング処理の細長い布地は衣服の裏側に隠れ、そのサイズを他人に知られることもない。
【図面の簡単な説明】
【００３６】
【図１】本発明の一実施形態に係わる衣服の全体を左前身頃と右前身頃を合わせた状態で前側から見た正面図である。
【図２】図１に示した衣服の左右前身頃を開いて、衣服の裏側のポケット部を明確に示す平面図である。
【図３】図２に示すポケット部の拡大図である。
【図４】図３に示す第一のポケット部材を構成する布地のみを単体で示す平面図である。
【図５】図３に示す第二のポケット部材を構成する布地のみを単体で示す平面図である。
【図６】図４に示す第一のポケット部材用の布地のみを衣服の左前身頃の裏側に縫い付けた状態を示す平面図である。
【図７】図１乃至図３に示したポケット部に衣服を収納する作業を説明するための最初の段階を示す説明図である。
【図８】図１乃至図３に示したポケット部に衣服を収納する作業を説明するための図７に続く段階を示す説明図である。
【図９】図１乃至図３に示したポケット部に衣服を収納して膨らんだ状態のポケット部を示す平面図、横側面図、下側面図である。
【図１０】図１乃至図３に示したポケット部に衣服を収納して膨らんだ状態のポケット部にカラータグを縫い付けた状態を示す図である。
【発明を実施するための形態】
【００３７】
以下、図面を用いて、本発明を実施するための形態(以下、実施形態と称する)を説明する。ここではガウン、上下式の甚平やパジャマなどの衣服のうち、ガウンの裏面にポケット部を設けた場合について説明するが、例えばパジャマの下衣（ズボン）のおもて面にポケット部を設けた場合も同様であることは言うまでもないことである。
【００３８】
図１は、本発明の一実施形態に係わる衣服の全体を左前身頃と右前身頃を合わせた状態を前側から見た正面図である。同図に示す衣服１００は、いわゆる長めのガウン状に形成され、前部が左前身頃１１と右前身頃１３の二つに分かれ、袖を通した後に、この左右前身頃１１、１３を合わせて着るようになっている。なお、この衣服１００は、しわになりにくく、伸び縮みして着やすく、使いやすいニットなどで形成され、例えば医療機関、リハビリテーション施設、介護施設、宿泊施設などで利用者に提供するのに利用され得るものである。
【００３９】
なお、この衣服１００は、左前身頃１１の上部の右側に左袖３１が縫い付けられ、右前身頃１３の上部の左側には右袖３３が縫い付けられている。また、この左右の袖３１、３３の間であって、左前身頃１１の上部左側と右前身頃１３の上部右側および後ろ身頃の上部には、襟３５が形成されている。更に、左前身頃１１の上部寄りの左端には、第一の紐３７が取り付けられ、右前身頃１３の上部寄りの左端には、第二の紐３９が取り付けられている。この第一および第二の紐３７、３９は、左右前身頃１１、１３を合わせて、衣服１００を着た場合に、第一、第二の紐３７、３９を結ぶことにより左右前身頃１１、１３が開いてはだけないようにするものである。
【００４０】
この衣服１００は、左前身頃１１の裏側の上寄りの部分、すなわち衣服１００を着用した利用者の左胸の辺りの裏側に点線で示すようにポケット部２１が縫い付けられている。このポケット部２１は、衣服１００自体を全体的に収納するためのものであり、衣服１００をポケット部２１の内部に全体的に収納した場合には、図９（ａ）、（ｂ）、（ｃ）に平面図、横側面図、下側面図で示すように、ポケット部２１は、衣服を収納して膨らんだ状態になり、衣服本体はポケット部２１からはみ出ないようになっている。
【００４１】
なお、このポケット部２１の位置は、利用者の左胸の辺りに限定されることなく、例えば右胸の辺り、胴部分(左右)の辺り、あるいは背面であっても構わない。なお、ズボンの場合には、腹部、あるいは臀部にポケット部を設けても良いが、腰脇に通常のズボンのポケット位置に設けるとポケットとして使用した場合に違和感なく都合が良い。
【００４２】
図９（ａ）、（ｂ）、（ｃ）に示すように、衣服１００をポケット部２１の中に収納することにより、衣服１００をいちいち折り畳んでまとめることに比べて、衣服１００の収納動作が極めて簡単かつ迅速になるとともに、収納した後、くずれることがなくなり、またリネンサプライシステムのために多数の衣服１００を揃えて前記機関や施設などの相手先に提供する場合には、多数の衣服１００をほぼ同じ形に整えることができ、これによりリネンサプライヤから相手先への提供、リネンサプライヤおよび相手先の両者における保管、管理が極めて適確かつ効率的になる。
【００４３】
図２は、図１に示した衣服１００の左右前身頃１１、１３を開いて、衣服１００の裏側のポケット部２１を明確に示す図であり、図３は、このポケット部２１の拡大図である。なお、図２においては、左右の袖３１、３３および襟３５を含む衣服１００の上部は図示を省略されている。
【００４４】
図２、３に示すように、衣服１００の左前身頃１１の上寄りの部分には、ポケット部２１が縫い着けられ、すなわち縫着されている。このポケット部２１は、ポケット入口部が重なった第一および第二のポケット部材２３、２５を有し、第一のポケット部材２３のポケット入口部は、符号２３ａで示す二重の点線のように左下を向き、第二のポケット部材２５で覆われて下側に隠れているのに対して、第二のポケット部材２５のポケット入口部は、符号２５ａで示す二重の実線のように右上を向いて露出している。
【００４５】
なお、第一、第二のポケット部材２３、２５のポケット入口部２３ａ、２５ａを画定する両方の二重線分の間は、第一、第二のポケット部材２３、２５が互いに重なっている部分である。すなわち、図２、３において、両端矢印２００で示す部分が第一、第二のポケット部材２３、２５が重なった部分である。
【００４６】
これにより、利用者がこの衣服１００を着衣したときに、第一、第二のポケット部材２３、２５の斜めとなった重なり部分から手を差し入れ、当該ポケット部２１を時計、財布あるいはタオル等の小物入れとしてのポケットとして利用することが容易になる。
【００４７】
更に詳しくは、第一、第二のポケット部材２３、２５からなるポケット部２１は、全体的にほぼ矩形に形成され、上下方向で対向する第一および第二の辺２１ａ、２１ｂと左右方向で対向する第三および第四の辺２１ｃ、２１ｄを有する。そして、第一のポケット部材２３のポケット入口部２３ａは、第二の辺２１ｂの途中と第四の辺２１ｄの途中とを結ぶ湾曲した部分円弧状の点線で示す二重線分に沿って形成され、第二のポケット部材２５のポケット入口部２５ａは、第一の辺２１ａの途中と第三の辺２１ｃの途中とを結ぶ湾曲した部分円弧状の実線で示す二重線分に沿って形成されている。
【００４８】
そして、好ましくは、図３に示すように、ポケット入口部２３ａ、２５ａを構成する湾曲した各部分円弧状の二重線分のいずれか一方の端部が、対応する辺の長さの二分の一の所のほぼ中央に位置するように設定され、その部分円弧状部は、この二分の一の長さＲを半径とし、この部分円弧状部の対向する角部を中心とする円の一部として構成されているものである。図３においては、ポケット部２１を構成する矩形の長い方の辺、すなわち第三および第四の辺２１ｃ、２１ｄの二分の一の長さを半径Ｒとし、この半径Ｒの円の一部である部分円弧状となっているが、逆に矩形の短い方の辺、すなわち第一および第二の辺２１ａ、２１ｂの二分の一の長さを半径Ｒとし、この半径Ｒの円の一部である部分円弧状としてもよいものである。なお、前記半径Ｒは、前記辺の長さの二分の一に限定されるものでなく、辺の長さの約四分の一（１／４）から四分の三（３／４）の範囲のものであってもよいものである。
【００４９】
また、ポケット部２１を構成する矩形は、四つの角部が図３において小文字ｒの小さな両端矢印で示す半径ｒの円の一部として部分円弧状に丸く形成されているが、これにより第一、第二のポケット部材２３、２５のそれぞれの三つの角部は、すべて丸く形成されることになる。この結果、ポケット部２１の中に衣服１００を収納する場合に、尖った角部の奥まで衣服１００を詰め込む必要がなくなって、丸くなった角部に簡単に押し込むことができ、収納作業が簡単になるとともに、また衣服１００をポケット部２１の中に完全に収納し、角部が飛び出すことなく、図９に示すように丸く形成され、見栄えが良くなる。
【００５０】
なお、ポケット部２１を構成する第一、第二のポケット部材２３、２５は、衣服１００と同じように、しわになりにくく、伸び縮みし、使いやすいニットで形成されており、これによりポケット部２１の中に衣服１００を収納する場合に、第一、第二のポケット部材２３、２５を構成する布地のニットが伸びるなどして、収納作業を容易にすることができる。
【００５１】
上述したように、第一、第二のポケット部材２３、２５を互いに重なるように構成することにより、図９に示すようにポケット部２１内に収納された衣服１００がポケット部２１から容易にはみ出ないようにすることができる。また、第一、第二のポケット部材２３、２５のポケット入口部２３ａ、２５ａを湾曲した部分円弧状に形成することにより、第一、第二のポケット部材２３、２５のポケット入口部２３ａ、２５ａを開けやすくすることができるとともに、この二つの部分円弧状部の中央部分が互いに接近するように構成することにより、第一、第二のポケット部材２３、２５の中に衣服１００を収納しやすくすることができる。
【００５２】
また、第一、第二のポケット部材２３、２５の円弧状に湾曲したポケット入口部２３ａ、２５ａの縁は、図２、３では二重の点線および実線でそれぞれ示されているが、これは、ポケット入口部２３ａ、２５ａの縁がテープ状に細長くカットされたニットなどからなる別の布地などを二つ折りなどしてかぶせられた後、ポケット入口部２３ａ、２５ａに縫い付けられて、いわゆるパイピング処理が施され、これによりポケット入口部２３ａ、２５ａの縁がほつれることを防止し、かつ本実施形態においてはポケット入口部２３ａ、２５ａの補強を兼ねているものである。すなわちポケット入口部２３ａ、２５ａが容易に開状態となることを防止すると共に、洗濯等により該ポケット入口部２３ａ、２５ａの劣化を防止するものである。
【００５３】
なお、このパイピング処理においてポケット入口部２３ａ、２５ａの縁にかぶせられているテープ状の細長い布地は、その色を変えることにより、衣服１００のサイズを示すようにすることができる。例えば、その色が青の場合は衣服１００のサイズがＬＬ（特大）、緑の場合はＬ（大）、オレンジの場合はＭ（中）、黄色の場合はＳ（小）、赤の場合はＳＳ（特小）などというようにすることにより、ポケット部２１の中に衣服１００の全体を完全に収納した場合でも、パイピング処理のテープ状の細長い布地の色を見るだけで、内部に収納されている衣服１００のサイズを知ることができる。
【００５４】
そして、このようにポケット部２１の縁をパイピング処理した細長い布地の色で衣服１００のサイズを表すことにより、衣服１００を着用する利用者は、着用する前に、衣服を収納したポケット部２１の縁のパイピング処理のテープ状の細長い布地の色を見るだけで、自分に合ったサイズを選ぶことができるとともに、選んで着用した場合には、ポケット部２１およびパイピング処理のテープ状の細長い布地は衣服の裏側に隠れるため、そのサイズを他人に知られることもない。
【００５５】
なお、襟等をパイピング処理したときのテープの色は、そのポケット部２１の縁のパイピング処理のテープ色と同一にしても良く、異なるようにしても良いのは言うまでもない。
【００５６】
なお、図２において、左前身頃１１と後ろ身頃１５との境の上部寄りのポケット部２１の左側には、第三の紐４１が取り付けられ、右前身頃１３の上部の左端には、第四の紐４３が取り付けられているが、この第三および第四の紐４１、４３は、左右前身頃１１、１３を合わせて、衣服１００を着た場合に、第三、第四の紐４１、４３を結ぶことにより衣服１００の内側になった右前身頃１３が開いてはだけず、固定されるようにするものである。なお、図２において、第二の紐３９は、右前身頃１３の後ろになるので、点線で示されている。
【００５７】
図４は、第一のポケット部材２３を構成する布地のみを単体で示す平面図であり、図５も、また第二のポケット部材２５を構成する布地のみを単体で示す平面図である。両図においては、第一、第二のポケット部材２３、２５のポケット入口部２３ａ、２５ａは、それぞれの縁にテープ状の細長い布地を縫い付けられたパイピング処理を施されており、二重の線分で示されている。
【００５８】
そして、図４のように裁断され、ポケット入口部２３ａにパイピング処理を施された第一のポケット部材２３の布地は、図６に示すように、ポケット入口部２３ａを除いた各辺、すなわち第一および第三の辺２１ａ、２１ｃの全体と第二および第四の辺２１ｂ、２１ｄの残りの部分が衣服１００の左前身頃１１の裏側に縫い付けられ、第一のポケット部材２３が構成される。なお、この場合、第一のポケット部材２３のポケット入口部２３ａは、下方を向くように縫い付けられる。
【００５９】
このようにポケット入口部２３ａが下方を向くように第一のポケット部材２３が左前身頃１１の裏側に縫い付けられた後、この第一のポケット部材２３の上に図３に示すように、第二のポケット部材２５が縫い付けられる。そして、この場合、第二のポケット部材２５は、そのポケット入口部２５ａが上方を向くように第一のポケット部材２３の上に縫い付けられる。
【００６０】
以上のように、衣服１００の左前身頃１１の裏側に第一、第二のポケット部材２３、２５からなるポケット部２１が縫い付けられ、図３に示すように構成されるが、次にこのように構成されるポケット部２１の中に衣服１００の全体を収納する作業について図７、８を参照して説明する。
【００６１】
ポケット部２１の中に衣服１００の全体を収納するには、まず、図７に示すように、作業者は、ポケット入口部２５ａから第一のポケット部材２５の中に右手を突っ込んで、その右手で第一のポケット部材２３のポケット入口部２３ａの符号ａで示すほぼ中央辺りを掴むとともに、左手で第二のポケット部材２５のポケット入口部２５ａの符号ｂで示すほぼ中央辺りを掴む。それから、ポケット入口部２３ａ、２５ａを掴んだ両手をそれぞれ符号Ａ、Ｂで示す矢印方向に引っ張る。
【００６２】
すなわち、右手は、矢印Ａで示す方向にポケット入口部２３ａを引っ張り、左手は、矢印Ｂで示す方向にポケット入口部２５ａを引っ張る。すると、図８に示すように、ポケット入口部２３ａ、２５ａの間には、斜線で示すように、隙間が現れるので、この隙間を更に大きくするようにポケット入口部２３ａ、２５ａを矢印Ａ、Ｂで示すように更に引っ張る。それから、この引っ張ったポケット入口部２３ａ、２５ａを裏表ひっくり返すようにしながら、このひっくり返ったポケット入口部２３ａ、２５ａの内部に、すなわちひっくり返った第一、第二のポケット部材２３、２５の内部に衣服１００の全体を押し込むようにしながら包み込むと、衣服１００の全体は、第一、第二のポケット部材２３、２５の内部に完全に入り込み、ポケット部２１は、図９（ａ）、（ｂ）、（ｃ）に示すように内部に収納された衣服１００で膨らんだ状態になる。
【００６３】
このように、ポケット入口部２３ａ、２５ａをひっくり返して、ポケット部２１の内部に衣服１００を収納して膨らんだ状態では、図９に示すように、第一のポケット部材２３が第二のポケット部材２５の上になり、第一のポケット部材２３のポケット入口部２３ａが左上を向いて露出し、第二のポケット部材２５のポケット入口部２５ａが第一のポケット部材２３で覆われ右下を向いて下側に隠れることになる。
【００６４】
上述したように、本実施形態の衣服では、一方のポケットが他方のポケットのポケット入口部を覆い、両ポケットのポケット入口部が互いに反対方向を向き両者の間が重なってポケット部２１が構成されているので、このポケット部２１の中に衣服１００の全体をはみ出すことなく、簡単、効率的、そして完全に収納できるとともに、例えばニットのように仕上げずらい布地の衣服でも、ポケット部２１の中に収納することにより、くずれることなく、ほぼ同じ形に簡単かつきれいに、見栄え良く揃えて整えることができる。
【００６５】
なお、上記実施形態では、パイピング処理でポケット入口部２３ａ、２５ａの縁にかぶせられているテープ状の細長い布地の色を変えて、衣服１００のサイズを示すようにすることができるとしたが、本発明は、これに限定されるものでない。例えば、布地の色の変更の代わりに、図９と同様に内部に衣服１００の全体を収納して膨らんだ状態のポケット部２１を示す図１０に示すように、第一のポケット部材２３のポケット入口部２３ａにカラータグ５１を縫い付け、このカラータグ５１の色を変えることにより、衣服１００のサイズを示すようにしてもよい。このようにすることにより、ポケット部２１の中に衣服１００の全体を完全に収納した場合でも、カラータグ５１の色を見るだけで、棚等に収容された衣服１００のサイズを棚から衣服１００を取り出すことなく、さらには衣服１００に触れることなく容易に知ることができる。
【００６６】
また、パイピング処理と共にタグを併用してもよく、この場合にはテープ色と同一にしても良く、異なるようにしても良いのは言うまでもない。
【００６７】
また、上記実施形態では、ポケット部２１を構成する第一、第二のポケット部材２３、２５は、その布地として衣服１００を同じニットを使用しているが、本発明はこれに限定されず、代わりに、例えば網状のもの、すなわちネットで構成してもよいものである。このようにネットで構成することにより、ネットの中身の確認が容易となる。例えば当該衣服を着用した場合、ポケット部２１にタオル等を収容することが可能であるが、洗濯等の際の確認作業の際に、このような衣服以外の眼鏡や財布、あるいはタオル等の混入の確認を容易にすることができる。
【符号の説明】
【００６８】
１１  左前身頃
１３  右前身頃
２１  ポケット部
２１ａ〜２１ｄ  ポケット部を構成する矩形の辺
２３  第一のポケット部材
２３ａ  第一のポケット部材のポケット入口部
２５  第二のポケット部材
２５ａ  第二のポケット部材のポケット入口部
３１  左袖
３３  右袖
３５  襟
３７  第一の紐
３９  第二の紐
４１  第三の紐
４３  第四の紐
５１  カラータグ
１００  衣服
【図１】
2011052346.tif 000003
【図２】
2011052346.tif 000004
【図３】
2011052346.tif 000005
【図４】
2011052346.tif 000006
【図５】
2011052346.tif 000007
【図６】
2011052346.tif 000008
【図７】
2011052346.tif 000009
【図８】
2011052346.tif 000010
【図９】
2011052346.tif 000011
【図１０】
2011052346.tif 000012